(57)【要約】【課題】フィルム包装材料以外の材料を用いることなく、該フィルム包装材料自体を加工することにより、フィルム包装体の開封を容易ならしめるようにしたフィルム包装体の開封手段を提供する。【解決手段】少なくとも一端１ａに開口部７を備え、該開口部より他端１ｂに至る線状の溶着シーム９を有するフィルム包装体１において、前記開口部より前記溶着シームの両側に弱め線１１を形成し、開封時にこれらの弱め線の内側部が該溶着シームに沿ってフィルム包装体の残部から剥がれるようにしたことを特徴とするフィルム包装体の開封手段。弱め線は、好ましくは、前記開口部の近傍より前記溶着シームの両側に形成する。弱め線は複数のミシン目により形成される。【選択図】図１
2008222302.tif 000002
【特許請求の範囲】
【請求項１】
少なくとも一端に開口部を備え、該開口部より他端に至る線状の溶着シームを有するフィルム包装体において、
前記開口部より前記溶着シームの両側に弱め線を形成し、開封時にこれらの弱め線の内側部が該溶着シームに沿ってフィルム包装体の残部から剥がれるようにしたことを特徴とするフィルム包装体の開封手段。
【請求項２】
少なくとも一端に開口部を備え、該開口部より他端に至る線状の溶着シームを有するフィルム包装体において、
前記開口部の近傍より前記溶着シームの両側に弱め線を形成し、開封時にこれらの弱め線の内側部が該溶着シームに沿ってフィルム包装体の残部から剥がれるようにしたことを特徴とするフィルム包装体の開封手段。
【請求項３】
前記弱め線は複数のミシン目により形成されている形成されていることを特徴とする請求項１又は２に記載のフィルム包装体の開封手段。
【発明の詳細な説明】
【技術分野】
【０００１】
本発明は、フィルム包装体の開封手段に関するものであり、例えば、食品、飲料等の缶詰、瓶詰等、あるいは化粧品、歯磨等のチューブその他の被包装物を包装するフィルム包装体の開封手段に係るものである。
【背景技術】
【０００２】
フィルム包装体は、例えば、ポリプロピレン、ポリエチレン、ポリ塩化ビニル等の合成樹脂フィルムを用いたシュリンク包装その他の包装手段により形成される。
【０００３】
フィルム包装体を手で開封することは容易ではないため、フィルム包装体には開封手段としてティアテープがしばしば取り付けられている。特開２００４−２６２５１９号公報は、ティアテープの一例を開示している。
【特許文献１】特開２００４−２６２５１９号公報
【発明の開示】
【発明が解決しようとする課題】
【０００４】
ティアテープはフィルム包装体の開封を容易ならしめるものである。しかるに、ティアテープは、フィルム包装材料とは別に用意される高価な材料であり、該フィルム包装材料に付加されるものであるため、フィルム包装体の材料費を上昇させることになる。
【０００５】
このような状況に鑑み、本発明は、フィルム包装材料以外の材料を用いることなく、該フィルム包装材料自体を加工することにより、フィルム包装体の開封を容易ならしめるようにしたフィルム包装体の開封手段を提供しようとしてなされたものである。
【課題を解決するための手段】
【０００６】
本発明者は、フィルム包装体は、しばしば、その一端に開口部を備え、該開口部より他端に至る線状の溶着シームを有していることに着目し、該開口部と溶着シームとを利用したフィルム包装体の開封手段に想到した。
【０００７】
すなわち、本発明は、下記のフィルム包装体の開封手段を提供するものである。
【０００８】
（１）少なくとも一端に開口部を備え、該開口部より他端に至る線状の溶着シームを有するフィルム包装体において、
前記開口部より前記溶着シームの両側に弱め線を形成し、開封時にこれらの弱め線の内側部が該溶着シームに沿ってフィルム包装体の残部から剥がれるようにしたことを特徴とするフィルム包装体の開封手段（請求項１）。
【０００９】
（２）少なくとも一端に開口部を備え、該開口部より他端に至る線状の溶着シームを有するフィルム包装体において、
前記開口部の近傍より前記溶着シームの両側に弱め線を形成し、開封時にこれらの弱め線の内側部が該溶着シームに沿ってフィルム包装体の残部から剥がれるようにしたことを特徴とするフィルム包装体の開封手段（請求項２）。
【００１０】
（３）前記弱め線は複数のミシン目により形成されている（請求項３）。
【発明の効果】
【００１１】
［請求項１の発明］
フィルム包装体の開口部より溶着シームの両側に弱め線を形成しているため、該開口部における溶着シーム付近を指で摘んで引いたときには、フィルム包装体における一対の弱め線の内側部（弱め線と弱め線との間の部分）がフィルム包装体の残部（フィルム包装体における弱め線の外側部）から引き裂かれ、以後、該内側部が溶着シームに沿って残部から剥がれる。換言すれば、溶着シームに、いわばティアテープの如き働きをさせているのである。したがって、フィルム包装体は極めて容易に開封される。溶着シームが存在することはフィルム包装体の欠点であると考えられているのであるが、一対の弱め線の内側部は溶着シームに沿って残部から剥がれる。すなわち、本発明は、このような欠点であるとされている溶着シームを利用しているのである。
【００１２】
このフィルム包装体の開封手段は、フィルム包装材料以外の材料を用いることなく、該フィルム包装材料自体に弱め線を形成してなるものであるため、弱め線形成手段に関する初期投資を行なった後は、フィルム包装体の材料費等の付加的費用は不要であり、結局、フィルム包装体の製造コストを低減させることができる。
【００１３】
［請求項２の発明］
弱め線は開口部の近傍より形成されており、弱め線の端が該開口部に直接臨んでいるわけではないため、一対の弱め線の内側部が使用者による引き裂き前にフィルム包装体の残部から剥がれるおそれはない。
因みに、弱め線の端が該開口部に臨んでいるときには、フィルム包装材料によっては、一対の弱め線の内側部が使用者による引き裂き前に残部から剥がれるおそれがある。
【００１４】
［請求項３の発明］
弱め線は複数のミシン目により形成されているため、一対の弱め線の内側部がフィルム包装体の残部から容易、かつ、確実に引き裂かれる。
【発明を実施するための最良の形態】
【００１５】
符号１に示すものはフィルム包装体である。
【００１６】
フィルム包装体１は、例えば、食品、飲料等の缶詰、瓶詰等、あるいは化粧品、歯磨等のチューブその他の被包装物を包装する合成樹脂製の包装体である。フィルム包装体１は、ポリプロピレン、ポリエチレン、ポリ塩化ビニル等の合成樹脂フィルムを用いたシュリンク包装により形成される包装体を含むが、シュリンク包装により形成される包装体に限定されるものではない。
【００１７】
図１〜図３に示すフィルム包装体１は、複数の缶詰３、３・・・を積み重ねた状態で包装している。
【００１８】
図４、図５に示すフィルム包装体１は、化粧品、歯磨等のチューブ５を包装している。
【００１９】
フィルム包装体１は、少なくとも一端１ａに開口部７を備え、該開口部７より他端１ｂに至る線状の溶着シーム９を有する。フィルム包装体１は、両端１ａ、１ｂに開口部７を備え、一端１ａ又は１ｂの開口部７より他端１ｂ又は１ａの開口部７に至る線状の溶着シーム９を有するものであってもよい。
【００２０】
しかして、本発明においては、フィルム包装体１の開封手段として、開口部７より溶着シーム９の両側に弱め線１１を形成する。弱め線１１は、溶着シーム９の全長に沿って形成する必要はなく、溶着シーム９における開口部７に近い部分のみの両側に形成すれば足りる。図１〜図３に示すフィルム包装体１においては、弱め線１１はフィルム包装体１の一端１ａにのみ形成されている。図４、図５に示すフィルム包装体１においては、弱め線１１はチューブ５のキャップに対応する部分にのみ形成されている。
【００２１】
弱め線１１は、好ましくは、該弱め線１１の端１１ａを開口部７に直接臨ませることなく、該開口部７の近傍より形成する。換言すれば、弱め線１１の端１１ａと開口部７との間に弱め線が形成されていない部分１３を残した状態で弱め線１１を形成することが望ましい。図２、図５参照。
【００２２】
弱め線１１は、好ましくは、複数のミシン目１５、１５・・・により形成される。図６参照。ミシン目１５は、フィルム包装体１を貫通する透孔である。
【００２３】
図３は、開口部７における溶着シーム９付近を指で摘んで引いたときに、フィルム包装体１における一対の弱め線１１、１１の内側部１７がフィルム包装体１における残部１９から引き裂かれ、以後、該内側部１７が溶着シーム９に沿って残部１９から剥がれる状態を示している。
【図面の簡単な説明】
【００２４】
【図１】本発明によるフィルム包装体の開封手段の一例を示す斜視図である。
【図２】同上の平面図である。
【図３】同上開封手段の使用状態を示す斜視図である。
【図４】本発明によるフィルム包装体の開封手段の別の一例を示す斜視図である。
【図５】同上の平面図である。
【図６】弱め線を示す断面図である。
【符号の説明】
【００２５】
１  フィルム包装体
１ａ  一端
１ｂ  他端
３  缶詰
５  チューブ
７  開口部
９  溶着シーム
１１  弱め線
１１ａ  端
１３  弱め線が形成されていない部分
１５  ミシン目
１７  内側部
１９  残部
【図１】
2008222302.tif 000003
【図２】
2008222302.tif 000004
【図３】
2008222302.tif 000005
【図４】
2008222302.tif 000006
【図５】
2008222302.tif 000007
【図６】
2008222302.tif 000008